【事件の表示】
　特許第３００２４９０号「駆動回路，表示装置及び表示方法」の請求項１ないし８に係る特許に対する特許異議の申立てについて、次のとおり決定する。
【結　論】
　訂正を認める。
　特許第３００２４９０号の請求項１ないし４に係る特許を維持する。
【理　由】
１．手続の経緯
　特許第３００２４９０号の請求項１乃至８に係る発明は、平成２年２月１６日に出願され、平成１１年１１月１２日に設定登録され、その後、その特許について異議申立人　東海林真由美より特許異議の申立てがなされ、取消理由通知がなされ、その指定期間内である平成１３年１月２２日に訂正請求がなされた後、二度目の取消理由通知がなされ、その指定期間である平成１３年２月２７日に新たな訂正請求がなされるとともに平成１３年１月２２日付け訂正請求が取り下げられたものである。
　
２．訂正の適否について
ア．訂正の内容
　平成１３年２月２７日付訂正請求書にて特許権者が求める訂正の内容は以下のとおりである。　
ａ．請求項１の記載を「サブフィールドの表示パルスを用い画像を表示する表示装置において、表示前の入力画像信号から得る所定時間毎のピーク値が基準レベルより小の場合に、前記ピーク値に基づいて同じ所定時間内の前記入力画像信号を表示に先立ち予め増幅制御すると共に、各サブフィールドでの表示パルスの数を基準パルス数よりも減少するように制御し、前記入力画像信号と前記基準パルス数での各サブフィールドとに基づいて表示部を駆動する場合と略同一な表示輝度になるように、増幅制御された入力画像信号と表示パルス数制御された各サブフィールドとに基づいて表示部を駆動するようにしたことを特徴とする表示装置。」と訂正する。
ｂ．請求項２の記載を「サブフィールドの表示パルスを用い画像を表示する表示装置において、所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示に先立ち予め制御し、増幅制御された入力画像信号と表示パルス数制御された各サブフィールドとに基づいて表示部を駆動するようにしたことを特徴とする表示装置。」と訂正する。
ｃ．請求項３を削除する。
ｄ．訂正前の請求項４を請求項３とすると共に、その記載を「表示部を駆動するためのサブフィールドの表示パルスを出力する駆動回路において、表示前の入力画像信号から得る所定時間毎のピーク値が基準レベルより小の場合に、前記入力画像信号と基準パルス数での各サブフィールドとに基づいて同じ所定時間内の前記入力画像信号を表示に先立ち予め増幅制御すると共に、各サブフィールドでの表示パルスの数を前記基準パルス数よりも減少制御するように構成したことを特徴とする駆動回路。」と訂正する。
ｅ．訂正前の請求項５を請求項４とし、その記載を「所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示動作前に予め制御し、増幅制御された入力画像信号と表示パルス数制御された各サブフィールドとに基づいて表示部を駆動することを特徴とする表示方法。」と訂正する。
ｆ．請求項６乃至８を削除する。
ｇ．特許明細書の〔課題を解決するための手段〕の欄の記載を
「〔課題を解決するための手段〕
　上記目的を達成するために、本発明では、
（１）サブフィールドの表示パルスを用い画像を表示する表示装置において、表示前の入力画像信号から得る所定時間毎のピーク値が基準レベルより小の場合に、前記ピーク値に基づいて同じ所定時間内の前記入力画像信号を表示に先立ち予め増幅制御すると共に、各サブフィールドでの表示パルスの数を基準パルス数よりも減少するように制御し、前記入力画像信号と前記基準パルス数での各サブフィールドとに基づいて表示部を駆動する場合と略同一な表示輝度になるように、増幅制御された入力画像信号と表示パルス数制御された各サブフィールドとに基づいて表示部を駆動する構成とする。
（２）サブフィールドの表示パルスを用い画像を表示する表示装置において、所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示に先立ち予め制御し、増幅制御された入力画像信号と表示パルス数制御された各サブフィールドとに基づいて表示部を駆動する構成とする。
（３）表示部を駆動するためのサブフィールドの表示パルスを出力する駆動回路において、表示前の入力画像信号から得る所定時間毎のピーク値が基準レベルより小の場合に、前記入力画像信号と基準パルス数での各サブフィールドとに基づいて同じ所定時間内の前記入力画像信号を表示に先立ち予め増幅制御すると共に、各サブフィールドでの表示パルスの数を前記基準パルス数よりも減少制御する構成とする。
（４）所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示動作前に予め制御し、増幅制御された入力画像信号と表示パルス数制御された各サブフィールドとに基づいて表示部を駆動する表示方法とする。」
と訂正する。
　
イ．訂正の目的の適否、新規事項の有無及び拡張・変更の存否
　上記訂正事項ａ，ｂ，ｄ，ｅに関連する記載として、「第１図は、γ補正、１Ｈ遅延線、ピーク検出・ｋ倍増幅等をアナログ映像信号処理で行う場合の構成例を示す図である。・・・第９図は、ピーク検出、１Ｈメモリ、ｋ倍増幅を、ディジタル回路で実現する場合の構成例を示す図である。」（本件特許公報第４頁第７欄第２２行〜第６頁第１１欄第１行参照）の記載がある。
　さらに、第１表から各サブフィールドのパルス数はコントラストレベルに応じて増加することが、第２表から信号ピークレベル７場合を基準レベルで増幅度１とし、信号ピークレベルに応じて増幅度が減少することが、また、第３表から増幅度に応じてコントラストレベルが減少することが理解できる。
　したがって、上記訂正事項ａ，ｂ，ｄ，ｅは、願書に添付した明細書に記載した事項の範囲内で、「入力画像信号から得る輝度情報」を「所定時間毎に入力画像信号から得るピーク値」に限定すると共に、「ピーク値」に基づいて行われる「入力画像信号の増幅度制御」と「各サブフィールドでの表示パルス数制御」の内容を具体的に限定したものといえるから、特許請求の範囲の減縮にあたる。
　上記訂正事項ｃ，ｆは、請求項の削除であるから、特許請求の範囲の減縮にあたる。
　上記訂正事項ｇは、請求項の訂正に伴い特許請求の範囲の記載と発明の詳細な説明の記載との整合を図るものであるから、明りょうでない記載の釈明にあたる。
　そして、上記訂正事項ａ乃至ｇの訂正は、新規事項の追加に該当せず、また、実質的に特許請求の範囲を拡張又は変更するものではない。
　
ウ．むすび
　したがって、上記訂正は、特許法第１２０条の４第２項及び同条３項で準用する第１２６条第２項及び第３項の規定に適合するので、当該訂正を認める。
　
３．特許異議の申し立てについて
ア．本件発明
　本件請求項１乃至４に係る発明（以下、本件発明１乃至４という。）は、平成１３年２月２７日付訂正請求書の特許請求の範囲の請求項１乃至４に記載された次のとおりの事項により特定されるものである。
「【請求項１】
　サブフィールドの表示パルスを用い画像を表示する表示装置において、表示前の入力画像信号から得る所定時間毎のピーク値が基準レベルより小の場合に、前記ピーク値に基づいて同じ所定時間内の前記入力画像信号を表示に先立ち予め増幅制御すると共に、各サブフィールドでの表示パルスの数を基準パルス数よりも減少するように制御し、前記入力画像信号と前記基準パルス数での各サブフィールドとに基づいて表示部を駆動する場合と略同一な表示輝度になるように、増幅制御された入力画像信号と表示パルス数制御された各サブフィールドとに基づいて表示部を駆動するようにしたことを特徴とする表示装置。
【請求項２】
　サブフィールドの表示パルスを用い画像を表示する表示装置において、所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示に先立ち予め制御し、増幅制御された入力画像信号と表示パルス数制御された各サブフィールドとに基づいて表示部を駆動するようにしたことを特徴とする表示装置。
【請求項３】
　表示部を駆動するためのサブフィールドの表示パルスを出力する駆動回路において、表示前の入力画像信号から得る所定時間毎のピーク値が基準レベルより小の場合に、前記入力画像信号と基準パルス数での各サブフィールドとに基づいて同じ所定時間内の前記入力画像信号を表示に先立ち予め増幅制御すると共に、各サブフィールドでの表示パルスの数を前記基準パルス数よりも減少制御するように構成したことを特徴とする駆動回路。
【請求項４】
　所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示動作前に予め制御し、増幅制御された入力画像信号と表示パルス数制御された各サブフィールドとに基づいて表示部を駆動することを特徴とする表示方法。」
　
イ．申立の概要
　特許異議申立人　東海林真由美は、証拠として甲第１及び２号証を提出し、本件請求項１乃至８に係る発明（訂正後の本件発明１乃至４）は、甲第１号証及び甲第２号証に掲載された周知技術に基づき当業者が容易に発明することができたものであるから特許法第２９条第２項の規定に該当し、本件請求項１乃至８（訂正後の請求項１乃至４）の特許は、特許法第１１３条第１項第２号の規定により取り消されるべきである旨主張している。
　
ウ．甲第１号証に記載された発明
　上記甲第１乃至２号証には、次のとおりの記載がある。
甲１号証：特開平１−１９３７９７号公報
　「次に、第８図について説明したようなプラズマ表示パネルを使用した、従来のプラズマ表示装置（１６階調型）について、第１０図を参照して説明する。・・・このトリガー電極制御信号が、図示を省略したトリガー電極ＴＧに供給される。」（甲１号証第３頁右上欄第１２行〜第４頁右上欄第１５行）
　「次に、第２図を参照して、他の実施例を説明する。ＯＲゲート（４２）にｎビットの表示データＤＴが供給される。・・・第４図及び第５図における表示状態にあるセルの数Ｎに対する消費電力の変化を滑らかにすることができる。」（甲第１号証第６頁左下欄第６行〜第７頁右下欄第１２行）
　「先ず、第１図を参照して、・・・一定値以下に抑えるようにする。」（甲第１号証第５頁右上欄第１７行〜第６頁右上欄第１９行）
　「次に、第１０図で説明した１６階調のプラズマ表示装置に、本発明を適用した場合の第２図の実施例の動作を、第７図を参照して説明する。・・・オン期間Ｗの単位時間が次第に短くなるようにする。」（甲第１号証第８頁左上欄１２行〜同頁左下欄第５行）
甲第２号証：白鳥孝尚、外２名，「平面ディスプレイ」，ＦＵＪＩＴＳＵ　１９８８−６月号，富士通株式会社，昭和６３年６月，第３９巻，第３号，ｐ．２６５−２７２
　「３）階調表示
　ＤＣ型が放電に時間を変えて輝度を変えるのに対し、ＡＣ型では放電の周波数を変える。・・・今回駆動方法を工夫し、フレームメモリを使わずにＡＣ型で多階調表示する技術を開発した。」（甲２号証第２６７頁左欄）
　
ウ．対比・判断
　本件発明１，３と上記甲第１号証に掲載されたものとを対比すると、上記甲第１号証には、本件発明１，３を特定する事項である「所定時間毎のピーク値」を「入力画像信号」より得る構成、この検出値に基づいて「入力画像信号」を「増幅制御」すると共に「各サブフィールドでの表示パルスの数」を制御する構成（以下相違点１という）が記載されていない。
　また、上記甲第２号証にも上記相違点１について、記載も示唆もなされていない。
　そして、この点は表現上の差異でもなく、また当業者が任意に設計し得る事項でもない。
　してみると、本件発明１，３は、上記甲第１号証、甲第２号証に記載された発明に基づいて当業者が容易に発明できたものではない。
　本件発明２，４と上記甲第１号証に掲載されたものとを対比すると、上記甲第１号証には、本件発明２，４を特定する事項である「ｎ段階の輝度レベル別のピーク値」の「検出結果ｍ」を所定時間毎に「入力画像信号」より得る構成、この検出値に基づいて「入力画像信号」を「ｎ／ｍ倍」に増幅すると共に「各サブフィールドでの表示パルスの数」を「略ｍ／ｎ倍」に制御する構成（以下相違点２という）が記載されていない。
　また、上記甲第２号証にも上記相違点２について、記載も示唆もなされていない。
　そして、この点は表現上の差異でもなく、また当業者が任意に設計し得る事項でもない。
　してみると、本件発明２，４は、上記甲第１号証、甲第２号証に記載された発明に基づいて当業者が容易に発明できたものではない。
　そして、本件発明１乃至４は上記事項により明細書記載の作用効果を奏するものである。
　
　よって、本件発明１乃至４は、特許法第２９条第２項の規定に違反しているものとすることができない。
　
エ．むすび
　以上のとおりであるから、特許異議の申立ての理由および、証拠によっては、本件請求項１乃至４の特許を取り消すことはできない。　
　また、他に本件発明の特許を取り消すべき理由を発見しない。
　よって結論のとおり決定する。　
【異議決定日】
平成１３年３月１２日（２００１．３．１２）
【訂正の要旨】
訂正の要旨
ａ．請求項１の記載を「サブフィールドの表示パルスを用い画像を表示する表示装置において、表示前の入力画像信号から得る所定時間毎のピーク値が基準レベルより小の場合に、前記ピーク値に基づいて同じ所定時間内の前記入力画像信号を表示に先立ち予め増幅制御すると共に、各サブフィールドでの表示パルスの数を基準パルス数よりも減少するように制御し、前記入力画像信号と前記基準パルス数での各サブフィールドとに基づいて表示部を駆動する場合と略同一な表示輝度になるように、増幅制御された入力画像信号と表示パルス数制御された各サブフィールドとに基づいて表示部を駆動するようにしたことを特徴とする表示装置。」と訂正する。
ｂ．請求項２の記載を「サブフィールドの表示パルスを用い画像を表示する表示装置において、所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示に先立ち予め制御し、増幅制御された入力画像信号と表示パルス数制御された各サブフィールドとに基づいて表示部を駆動するようにしたことを特徴とする表示装置。」と訂正する。
ｃ．請求項３を削除する。
ｄ．訂正前の請求項４を請求項３とすると共に、その記載を「表示部を駆動するためのサブフィールドの表示パルスを出力する駆動回路において、表示前の入力画像信号から得る所定時間毎のピーク値が基準レベルより小の場合に、前記入力画像信号と基準パルス数での各サブフィールドとに基づいて同じ所定時間内の前記入力画像信号を表示に先立ち予め増幅制御すると共に、各サブフィールドでの表示パルスの数を前記基準パルス数よりも減少制御するように構成したことを特徴とする駆動回路。」と訂正する。
ｅ．訂正前の請求項５を請求項４とし、その記載を「所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示動作前に予め制御し、増幅制御された入力画像信号と表示パルス数制御された各サブフィールドとに基づいて表示部を駆動することを特徴とする表示方法。」と訂正する。
ｆ．請求項６乃至８を削除する。
ｇ．特註明細書の〔課題を解決するための手段〕の欄の記載を
「〔課題を解決するための手段〕
　上記目的を達成するために、本発明では、
（１）サブフィールドの表示パルスを用い画像を表示する表示装置において、表示前の入力画像信号から得る所定時間毎のピーク値が基準レベルより小の場合に、前記ピーク値に基づいて同じ所定時間内の前記入力画像信号を表示に先立ち予め増幅制御すると共に、各サブフィールドでの表示パルスの数を基準パルス数よりも減少するように制御し、前記入力画像信号と前記基準パルス数での各サブフィールドとに基づいて表示部を駆動する場合と略同一な表示輝度になるように、増幅制御された入力画像信号と表示パルス数制御された各サブフィールドとに基づいて表示部を駆動する構成とする。
（２）サブフィールドの表示パルスを用い画像を表示する表示装置において、所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に）各サブフィールドでの表示パルスの数を略ｍ／ｎ倍に表示に先立ち予め制御し、増幅制御された入力画像信号と表示パルス数制御された各サブフィールドとに基づいて表示部を駆動する構成とする。
（３）表示部を駆動するためのサブフィールドの表示パルスを出力する駆動回路において、表示前の入力画像信号から得る所定時間毎のピーク値が基準レベルより小の場合に、前記入力画像信号と基準パルス数での各サブフィールドとに基づいて同じ所定時間内の前記入力画像信号を表示に先立ち予め増幅制御すると共に、各サブフィールドでの表示パルスの数を前記基準パルス数よりも減少制御する構成とする。
（４）所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示動作前に予め制御し、増幅制御された入力画像信号と表示パルス数制御された各サブフィールドとに基づいて表示部を駆動する表示方法とする。」
と訂正する。
（５４）【発明の名称】
駆動回路，表示装置及び表示方法
（５７）【特許請求の範囲】
　【請求項１】
　サブフィールドの表示パルスを用い画像を表示する表示装置において、
　表示前の入力画像信号から得る
所定時間毎のピーク値が基準レベルより小の場合に、前記ピーク値に基づいて同じ所定時間内の前記入力画像信号を表示に先立ち予め増幅制御すると共に、各サブフィールドでの表示パルスの数を基準パルス数よりも減少するように制御し、前記入力画像信号と前記基準パルス数での各サブフィールドとに基づいて表示部を駆動する場合と略同一な表示輝度となるように、増幅制御された入力画像信号と表示パルス数制御された各サブフィールドとに基づいて
　【請求項２】
　サブフィールドの表示パルスを用い画像を表示する表示装置において、
　
所定時間毎に
ｎ段階の
ピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に
、増幅制御された入力画像信号と表示パルス数制御された各サブフィールドとに基づいて
　【請求項３】
　
表示部を駆動するためのサブフィールドの表示パルスを出力する駆動回路において、
　
表示前の入力画像信号から得る所定時間毎のピーク値が基準レベルより小の場合に、前記入力画像信号と基準パルス数での各サブフィールドとに基づいて表示部を駆動する場合と略同一な表示輝度となるように、前記ピーク値に基づいて同じ所定時間内の前記入力画像信号を表示に先立ち予め増幅制御すると共に、各サブフィールドでの表示パルスの数を前記基準パルス数よりも減少
構成したことを特徴とする駆動回路
　【請求項４】
　
所定時間毎に表示前の入力画像信号からｎ段階の輝度レベル別のピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示動作前に予め制御し、増幅制御された入力画像信号と表示パルス数制御された各サブフィールドとに基づいて表示部を駆動することを特徴とする表示方法
【発明の詳細な説明】
〔産業上の利用分野〕
　本発明は、サブフィールドを用いて画像を表示する技術に関する。
〔従来の技術〕
　従来、サブフィールドを用いた画像表示装置における階調表示技術としては、例えばガス放電テレビでは、加治、他：電子通信学会画像工学研究会資料、資料番号１Ｔ７２−４５（１９７３−０３）「ＡＣ形プラズマディスプレイによる中間調動画表示」に記載されたものがあり、また、メモリパネルについては、例えば、御子柴、他；Ｓｏｃ．Ｉｎｆｏｒｍａｔｉｏｎ　ｄｉｓｐｌａｙ，Ｄｉｇｅｓｔ　ｏｆ　Ｔｅｃｈｎｉｃａｌ　Ｐａｐｅｒｓ（１９８４）ｐｐ９１〜９４の“Ａｎ　８ｉｎ．−Ｄｉａｇｏｎａｌ　Ｈｉｇｈ−Ｅｆｆｉｃａｃｙ　Ｔｏｗｎｓｅｎｄ−Ｄｉｓｃｈａｒｇｅ　Ｍｅｍｏｒｙ　Ｐａｎｅｌ　Ｃｏｌｏｒ　ＴＶ　Ｄｉｓｐｌａｙ”に記載された技術がある。また、従来のブラウン管での輝度低下方法については、ＮＨＫカラーテレビ教科書「上」Ｓ５２．１０．２０ｐｐ１３９に述べられている。
〔発明が解決しようとする課題〕
　上記従来技術では、画像の階調の制御は、各サブフィールド（ビット）に対応したパルス（表示パルス）による発光の有無のみで行い、しかも各サブフィールドの表示パルス数は各サブフィールド毎に固定されていた。このため、全画面にわたり画像が高輝度になったとき、観測者にとってまぶしく感じられるという欠点があった。
　本発明の目的は、上記従来技術の欠点を改善すると同時に、消費電力をも低減できるようにすることにある。
〔課題を解決するための手段〕
　上記目的を達成するために、本発明では、
（１）サブフィールドの表示パルスを用い画像を表示する表示装置において、表示前の入力画像信号から得る
所定時間毎のピーク値が基準レベルより小の場合に、前記ピーク値に基づいて同じ所定時間内の前記入力画像信号を表示に先立ち予め増幅制御すると共に、各サブフィールドでの表示パルスの数を基準パルス数よりも減少するように制御し、前記入力画像信号と前記基準パルス数での各サブフィールドとに基づいて表示部を駆動する場合と略同一な表示輝度となるように、増幅制御された入力画像信号と表示パルス数制御された各サブフィールドとに基づいて
（２）サブフィールドの表示パルスを用い画像を表示する表示装置において、
所定時間毎に
ｎ段階
ピーク値を検出し、該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に
、増幅制御された入力画像信号と表示パルス数制御された各サブフィールドとに基づいて
（３）
表示部を駆動するためのサブフィールドの表示パルスを出力する駆動回路において、表示前の入力画像信号から得る所定時間毎のピーク値が基準レベルより小の場合に、前記入力画像信号と基準パルス数での各サブフィールドとに基づいて表示部を駆動する場合と略同一な表示輝度となるように、前記ピーク値に基づいて同じ所定時間内の前記入力画像信号を表示に先立ち予め増幅制御すると共に、各サブフィールドでの表示パルスの数を前記基準パルス数よりも減少制御
（４）
所定時間毎に表示前の入力画像信号からｎ段階の輝度レベル別のピーク値を検出し該検出結果がレベルｍ（ｍ，ｎは正の整数でｍ≦ｎ）の場合に、同じ所定時間内の前記入力画像信号の増幅度をｎ／ｍ倍に、各サブフィールドでの表示パルスの数を略ｍ／ｎ倍に表示動作前に予め制御し、増幅制御された入力画像信号と表示パルス数制御された各サブフィールドとに基づいて表示部を駆動する表示方法
〔作用〕
　表示パルスは、表示部を発光表示状態等にし、そのパルスの数により表示の輝度レベルを規定する。
〔実施例〕
　以下、本発明の実施例を第１図〜第１４図を用いて説明する。
　先ず、ガス放電テレビのパネル構成、動作につき第２図〜第４図を用いて説明する。
　第２図は、ガス放電パネルの１つのセルの断面構造例を示す。基板２００上に第１電極（陰極）２２０がＢａまたはＮｉ，ＬａＢ６等の材料で形成されている。一方、面板２１０には、第３電極（表示陽極）２４０が印刷等の技術で形成されている。また、図に示す放電空間（表示放電空間２５０と補助放電空間２７０）は例えば、穴の開いたスペーサを何故も重ねる等の手段により形成され、図中に示す第２電極（補助陽極）２３０が配置される。第１電極２２０と第３電極２４０の間で放電（表示放電）が生じると、表示放電空間２５０内のガス（Ｘｅ又はＮｅ−Ｘｅ，Ｈｅ−Ｘｅ等の混合ガス）から紫外線が発生し、螢光体２６０が発光して表示が行われる。第１電極２２０と第２電極２３０との間では、いわゆる種火放電（補助放電）が発生し、この補助放電が第１電極２２０と第３電極２４０との間の表示放電に移行するか否かは、第２電極２３０に印加するパルスの有無による。この補助放電は螢光体２６０を励起しないため、表示発光には影響を与えない。
　第３図はガス放電パネル３０１の各電極の配線例を示す図である。ガス放電パネル３０１の各セル３０２の第１電極と第３電極は、横方向に第１電極リード線３０４（Ｋ１，Ｋ２…）と第３電極リード線３０３（Ａ１，Ａ２…）に配線され、第２電極は縦方向に補助陽極リード線３０５（Ｓ１，Ｓ２…）に配線されている。ここで、パネルを上下に２分割して同時駆動する場合は、補助陽極電極リード線３０５をパネルの中央部で分離する。
　これら各電極に印加する電圧の波形を第４図に示す。図中、Ｖｋは第１電極リード線に印加する電圧の波形、パルス４００はガス放電パネル３０１の１ラインをアドレスするパルスであって第１電極アドレスパルスと称する。この第１電極アドレスパルス４００のパルス幅は、第４図の例では１ラインをアドレスするために割り当てられた時間幅Δと同じである。例えば、各ラインの走査時間を１Ｈとし、１フィールドに２４０ライン（２行同時駆動のパネル半分のライン数）を８サブフィールドで階調表示する時は、Δ≒８μｓとなる。
　図中、Ｖｓは第２電極リードに印加するパルス電圧波形を示し、パルス４１０は第２電極パルスで、第１電極アドレスパルス４００よりもパルス幅が狭く、Δの時間幅の後方に位置する。この第２電極パルス４１０は、テレビ信号の内容によって有ったり無かったりする。図中、Ｖａは第３電極リードの印加電圧の波形を示し、第１電極リードと第３電極リードのライン番号の同じものに対しては、図中第３電極に印加する幅の狭いパルス４２０を、第１電極アドレスの直後から階調のビット数に応じた数だけ連続的に印加する。
　次に、各電極間の放電状態を、第４図に示す期間Ｉ，ＩＩ，ＩＩＩに対応させて説明する。
　第１電極にアドレスパルス４００が印加されると、期間Ｉで第１電極と第２電極の間で放電が生じる。これを補助放電と呼ぶ。この放電経路は、第２図の補助放電空間２７０で生じ、この空間２７０の壁面には螢光体が塗布されておらず、パネルの前面から見て隠れた構造をしているため、表示画質への影響は少ない。
　次に、第２電極にパルス４１０が印加される期間ＩＩでは、第１電極と第２電極の電位差が少なくなるため、第１電極と第２電極の間の放電は止まる。しかし、予め、期間Ｉで種火放電（補助放電）が行われるため、期間ＩＩでは第１電極の近接部に空間電荷が多数存在する。このため、第１電極と第３電極の間で放電が生じる。このように、放電が第２電極から第３電極に移ることを、ここではスイッチングと呼ぶ。このスイッチングが行われると、第１電極と第３電極の問の放電経路（第２図に示す表示放電空間２５０）に荷電粒子が多数発生する。
　次に、第４図の期間ＩＩＩでは、第３電極にパルス幅の狭いパルス４２０が先ず印加される。上記期間ＩＩのスイッチングにより、表示放電空間に荷電粒子が多数存在するため、このパルス４２０によって、第１電極と第３電極の間でパルス的な放電が生じる。このパルス的な放電によって表示放電空間にさらに荷電粒子が生成し、次のパルスでも放電する。このように、期間ＩＩＩでは放電が、パルスが連続的に印加されている間、または、この放電を止めるような新たな電位が第１電極に印加されるまで続く。これをパルスメモリという。この放電によって第２図の螢光体２６０が励起され表示発光が行われる。
　表示発光させない場合は、第４図の第２電極のパルス４１０を取り除く。その場合、スイッチングは行われず、第１電極と第３電極の間で放電が生じないため、第２図の表示放電空間２５０内の荷電粒子は少ない。従って、第３電極パルス４２０を印加しても放電は発生せず、第２図中の螢光体２６０を励起することもない。
　従って、第２電極パルス４１０は第１電極と第３電極の間の放電を制御する役目をし、このパルスの有無によって表示輝度を任意に制御することができる。
　次に、ガス放電パネルの階調表示方法につき、８ビット階調（２５６階調）の場合を例にとり、第５図を用いて説明する。第５図は、１フィールド（ＮＴＳＣテレビ信号の場合は１／６０秒（ｓ））の間に第１電極に印加する電圧Ｖｋと第３電極に印加する電圧Ｖａの一例を示す図である。第１電極には、１フィールドにサブフィールド（ビット）に対応した８つのパルスを印加する。各々ｂ０，ｂ１，…，ｂ７のアドレスパルスと呼ぶ。第３電極に印加するパルスは、第４図、第５図に示すように、アドレスパルス４００の印加直後から始まり、次のアドレスパルスが来る前に終わる。その各々のパルス数は、ｂ０，ｂ１，ｂ２，…に対応しており、その比を１：２：４：８…：１２８とすれば、２進符号の２５６階調が形成される。この各々の第３電極のパルス列で放電させるか否かは、前記した各々ｂ０，ｂ１，ｂ２…のアドレスパルスに対応した第２電極のパルス（第４図中４１０）の有無による。なお、第４図の期間ＩＩにおける発光が無視できない場合は、これによる輝度も考慮に入れて第３電極に印加するパルス（第３電極パルス）の数を分配するようにする。
　この輝度レベル（コントラスト）は各サブフィールドの第３電極パルスの数で制御する。第１表は７段階のコントラストを示す各サブフィールドの第３電極パルス数を示す。ただし、この例ではスイッチングによる明るさをほぼ第３電極パルス１個分に等しいとしている。
　第１図は、γ補正、１Ｈ遅延線、ピーク検出・ｋ倍増幅等をアナログ映像信号処理で行う場合の構成例を示す図である。
　Ｇ（緑），Ｂ（青），Ｒ（赤）のアナログ映像信号１０をアナログγ（ガンマ）補正回路１１に入力する。このγ補正回路１１は、テレビ放送局でγ特性を持たせた信号を元に戻す回路で、ガス放電テレビの場合はブラウン管の場合とは異なりγ特性がないので、信号振幅対輝度の特性を線形に戻す必要がある。この回路は、例えばダイオード折線近似回路で行う。
　γ補正された信号はピーク検出回路１６と１Ｈ遅延線１２に入力する。
　ピーク検出回路１６には、例えば第６図に示すように電圧比較器（コンパレータ）を用いる。この第６図ではＧの信号（γ補正後の信号）６０７のみを示しているが、Ｂ，Ｒの信号についても同様である。γ補正後の信号６０７は６段階のコンパレータ６００に入力する。各コンパレータの比較電圧は、最大信号に対して、１／７，２／７…６／７のレベルに設定しておく。このコンパレータの出力をノン・リトリガラブル３入力モノステーブルマルチバイブレータ６０１に入力し、マルチバイブレータ６０１の出力パルス幅を１Ｈ（≒６３．５μｓ）以上とすれば、映像信号が各比較レベル以上であれば、ｌＨのブランキング期間にＨｉｇｈの信号を出力する。ここでマルチバイブレータはＨのブランキング期間の後方でリセットする。この各比較信号ラッチ回路６０２でクロックをＨのブランキング期間とすれば、ラッチ出力はブランキング期間で６本の信号を出力する。これをＲＯＭ６０４に入力するが、ここで、Ｂ，Ｒの同様な信号もＲＯＭ６０４に出力する。このＲＯＭ６０４の内容は、各コンパレータ，ラッチ出力の最大値のみに対応して７本の制御信号６０６を出力する。この７本の信号６０６は、信号のピークレベルを比較器の１／７，２／７，…６／７に対応して出力する。この６０６の制御信号をコントロール電圧発生回路６０５に入力し、これにより、ゲインコントロール増幅器１３の増幅度を制御して、ｌＨ遅延線１２でｌＨ遅れたアナログ映像信号を増幅する。
　第７図は、第６図のコントロール電圧発生回路の構成例を示したものである。７００はゲインコントロール増幅器１３の増幅度をコントロールする電圧発生回路で、ゲインコントロール増幅器１３の増幅度が、７倍，７／２倍，７／３倍，７／４倍，７／５倍，７／６倍，１倍となるように電圧値が設定される。各コントロール電圧はスイッチ回路７０１に入力し、このスイッチ回路７０１の制御は第６図のＲＯＭ６０４の制御信号６０６により行う。信号ピークレベル対増幅度の関係は第２表のようにする。
　第１図の構成の場合、ｋ倍増幅器で増幅されたアナログ映像信号は８ビット対応のＡ／Ｄ変換器１４に入力し、ディジタル信号に変換された後フレームメモリ１５に格納する。なお、ピーク検出回路１６で１Ｈ毎の増幅度をメモリ１７に格納する。フレームメモリ１５に格納されたディジタル映像信号は、ガス放電パネル３０１の表示に合った時間で読み出され、シフトレジスタ２２を介して第２電極駆動回路２３によって高電圧信号に変換された後、第３図の第２電極リード３０５に入力される。
　一方、第１電極を駆動する信号は第１電極用ＲＯＭ２４から発生し、シフトレジスタ２６、第１電極駆動回路２５を介してガス放電パネル３０１の第１電極リード（第３図中３０４）に入力される。
　第３電極を駆動する信号は第３電極用ＲＯＭ群１８からｋ倍したＨの信号に対してＲＯＭを選択する。そのときの選択回路１９と制御信号２７の具体的な回路例を第８図に示す。各コントラストレベル１〜７は第１表に示すように、表示陽極に印加する各サブフィールドのパルス数（表示パネル数）に対応している。これらのコントラストレベル１〜７のＲＯＭ８００の選択について第３表に示す。
　これらＲＯＭの選択は第８図に示すデータセレクタ（選択回路）１９で行うが、その制御信号２７は第１図のメモリ１７から発生する信号２７である。ここで、第８図のデータセレクタ１９の出力信号は、第１図のシフトレジスタ２０に入力し、直並列変換するため、第３電極用ＲＯＭの読み出しは、１Ｈ，２Ｈ，…の順番で行う。従って、この読み出しの順で各Ｈのコントラストレベルを決めるＲＯＭを切り換えて行く。第１図でシフトレジスタ２０に入力された信号は、第３電極駆動回路２１を介しパルスの位相とパルス幅を決めパネル３０１の第３電極リード（第３図中３０３）に印加される。
　第９図は、ピーク検出、１Ｈメモリ、ｋ倍増幅を、ディジタル回路で実現する場合の構成例を示す図である。
　テレビ信号のＧ（緑）、Ｂ（青）、Ｒ（赤）の３原色アナログ映像信号１０は各々Ａ／Ｄ変換器９００でディジタル信号に変換される。この例では、Ａ／Ｄ変換器９００を１２ビット対応としているが、これは、γ補正をするために１ビット、暗い画像でも階調も多くするために３ビット、ガス放電テレビの階調表示に８ビットを見込んだもので、この合計として１２ビット対応にしたものである。従って、暗い画像で従来と同じ階調数でもよい場合にはＡ／Ｄ変換器は９ビット対応のものでよい。
　このＡ／Ｄ変換された１２ビットの映像信号をγ補正回路９１０を通して１１ビット信号とする。次に、このγ補正の出力信号を１Ｈメモリ９１２とピーク検出器９１１に入力する。ピーク検出器９１１の回路例を第１０図に示す。
　γ補正回路９１０の出力（ｂ０〜ｂ１０）の各色信号の上位３ビット（ｂ１０，ｂ９，ｂ８）９１４をデマルチプレクサ１０００に入力し、７段階の信号に変換する。ここで７段階とするのは前記表のコントラストレベルが７段階であり、Ａ／Ｄ変換器の入力信号の最大振幅値をＡ／Ｄ変換器規格の最大振幅の７／８倍にしておく。その各々の出力をカウンタ１００１に入力し、カウンタ動作はｌＨの映像信号の存在する期間で、リセットは１Ｈのブランキング期間で行う。各カウンタの出力全てをオア（ＯＲ）回路１００２に入力すれば、１Ｈのディジタル信号で１つでもそのレベルにあればハイ（Ｈｉｇｈ）信号となる。それぞれのレベルの各Ｇ，Ｂ，Ｒの信号をＯＲ回路１００３に入力すれば出力信号はＧ，Ｂ，Ｒの最大値を検出できる。
　これらの回路構成をすべてのレベル（７レベル）で行い、その信号をＲＯＭ１００４に入力する。このＲＯＭ１００４は各レベルの最上のみに対応して３ビットの２進符号のレベルを表示する。これをラッチ回路１００５に入力し、カウンタ１００１がリセットされる寸前にラッチすれば、出力信号Ａ，Ｂ，Ｃ１００６は１Ｈ信号の最大振幅を７段階（３ビット必要）で出力する。
　第９図の構成において、ピーク検出信号を用いて、１Ｈメモリ９１２でｌＨ遅延された信号をｋ倍回路９１３でｋ倍にする。
　この回路９１３の構成例を第１１図に示す。第１１図の構成ではディジタル信号のｋ倍化をＲＯＭを用いて行っている。ｂ０からｂ１０までのテレビ信号をそれぞれ、ｋ＝１，ｋ＝７／６，ｋ＝７／５，７／４…７／２，７のＲＯＭに入力する。このｋの値は前記第１表で示したコントラストレベルに対応している。各ＲＯＭ１１０１の出力をデータセレクタ１１０８によって、最大輝度信号Ａ，Ｂ，Ｃ１００６で７つのＲＯＭから１つだけ取り出す。ｌＨ内の最大輝度のレベルをこの例では７段階に分け、低い輝度レベルの方からｋの値をｋ＝７，７／２…７／６，１に対応させてｋ倍して行く。この輝度レベルの制御信号Ａ，Ｂ，Ｃ１００６は、第９図のＨの番号に対応させメモリ１７に格納される。各ｋ倍された信号は上位８ビットのもののみを第９図のフレームメモリ１５に格納する。動作は第１図の構成における場合と同じである。
　第１２図は、１画面全体の明るさを検出し、数フィールド分を加算して表示画面のコントラストを制御して、明るい画面を表示したとき観測者がまぶしくないようにするための回路構成例である。
　第１０図に示すアナログ映像信号Ｇ，Ｂ，Ｒを９ビット対応のＡ／Ｄ変換器１２００でＡ／Ｄ変換し、γ補正回路（ＲＯＭ）１２０１で８ビットのディジタル信号とする。この信号をフレームメモリ１５に格納するとともに重み付けカウンタ１２０２で信号の輝度をカウントする。
　この重み付けカウンタ１２０２は、例えば第１３図に示すように、各サブフィールド（上位ビットのサブフィールドのいくつかでもよい）の信号をカウンタ１３００でカウントし、加算器１３０１で信号加算するときに、加算器１３０１の２進符号のレベルをビットに対応して１ビットずつずらせて行く。この加算器出力が１３０２のフィールド積分輝度信号となる。
　このフィールド積分輝度信号１３０２を第１４図に示すシフトレジスタ１４００に入力する。このシフトレジスタのクロック信号をＶ（垂直走査信号）とすると、１フィールド毎に信号がシフトレジスタ内を転送される。本第１４図の例では８フィールドの積分輝度信号を加算器１４０１で加算してコントラスト制御信号１２０４を得る。
　このコントラスト制御信号１２０４は第１２図に示す選択回路１９に入力し、第３電極のＲＯＭ群から前記第１表に示したコントラストレベルのＲＯＭを選択する。
　なお、上記説明は、ガス放電パネルの場合のものであるが、本発明は、これに限定されず、階調や輝度をパルスの数や表示時間幅で制御する他の表示技術の場合も含む。
〔発明の効果〕
　本発明によれば、消費電力を大幅に少なくできる。また、暗い画面でも階調数を増加させられるため、画質を向上できる。また、明るい画面では輝度を落として観測者がまぶしくないようにすることができる。
【図面の簡単な説明】
　第１図は本発明を説明するための構成例図、第２図はガス放電パネルの場合のセル断面例図、第３図はガス放電パネルの電極配線例図、第４図はガス放電パネルの各電極に印加する電圧の波形例図、第５図はメモリ型ガス放電パネルにおける階調表示の説明図、第６図は信号のピーク検出回路の例を示す図、第７図はコントロール電圧発生回路例図、第８図は第３電極用ＲＯＭ群と選択回路の例を示す図、第９図は本発明を説明するための構成例図、第１０図はディジタルで信号のピークを検出する回路の構成例図、第１１図はディジタル信号をｋ倍する回路の構成例図、第１２図は画面の平均輝度からコントラストを制御する装置の構成例図、第１３図は重み付けカウンタの構成例図、第１４図は数フィールドにわたって平均輝度を出す回路の構成例図である。
〔符号の説明〕
　１２……１Ｈ遅延回路、１３……ゲインコントロール増幅器、１６……ピーク検出回路、１８……第３電極用ＲＯＭ群、１９……選択回路、３０１……ガス放電パネル。